(57)【要約】【課題】歴史の事柄とその時代の地理とを関係付けて、より簡便に学習すること。【解決手段】時代に応じた地域別の地図データＭｎ…を記憶した地図ＤＢ（エリア別）と、前記地図データＭｎ上の各地の地名とその位置の座標（緯度・経度）とを対応付けて記憶した地名ＤＢと、地域毎の時代に応じた歴史の事柄をその見出し語に対応付けて記憶した歴史辞典ＤＢとを有し、学習対象とする時代（７世紀）の前記地図データＭ２を表示させ任意の位置（×地点１）を指定する。すると、前記指定された地図データＭ２上の位置（×地点１）とその地名（高句麗）、当該地図データの時代（７世紀）に基づいて、同地名（高句麗）が含まれる歴史の事柄（歴史情報）が前記歴史辞典ＤＢから読み出されて表示される。【選択図】      図１０
2015230413.tif 000002
【特許請求の範囲】
【請求項１】
複数の時代に応じた地図データを記憶する地図記憶手段と、
歴史の事柄の辞書データを記憶する辞書記憶手段と、
前記地図記憶手段により記憶された地図データの中から指定された時代の地図データを読み出して出力する地図出力手段と、
この地図出力手段により出力された地図データに対して位置が指定された場合、当該指定された位置と前記指定された地図の時代に関係する歴史の事柄を前記辞書データから読み出して出力する歴史情報出力手段と、
を備えたことを特徴とする学習支援装置。
【請求項２】
前記地図データ上の地名と位置のデータを対応付けて記憶する地名記憶手段を備え、
前記歴史情報出力手段は、前記地図出力手段により出力された地図データ上で指定された位置に基づいて、前記指定された時代であって前記指定された位置に対応して前記地名記憶手段から読み出される地名を含む歴史の事柄を前記辞書データから読み出して出力する、
ことを特徴とする請求項１に記載の学習支援装置。
【請求項３】
前記歴史情報出力手段により出力された歴史の事柄に含まれる地名が選択された場合に、当該選択された地名に対応して前記地名記憶手段から読み出される前記地図データ上の位置を、前記地図出力手段により出力された地図データ上に出力する地名位置出力手段を備えた、
ことを特徴とする請求項２に記載の学習支援装置。
【請求項４】
前記辞書記憶手段により記憶された辞書データから歴史の事柄を検索して出力する辞書検索手段と、
この辞書検索手段により出力された歴史の事柄に関係する地図データを前記地図記憶手段により記憶された地図データの中から読み出して出力する関係地図出力手段と、
を備えたことを特徴とする請求項３に記載の学習支援装置。
【請求項５】
前記関係地図出力手段は、前記辞書検索手段により出力された歴史の事柄に含まれる地名が選択された場合に、当該歴史の事柄の時代であって前記選択された地名が含まれる地図データを前記地図記憶手段により記憶された地図データの中から読み出して出力する、
ことを特徴とする請求項４に記載の学習支援装置。
【請求項６】
電子機器のコンピュータを制御するためのプログラムであって、
前記コンピュータを、
複数の時代に応じた地図データを記憶装置に記憶する地図記憶手段と、
歴史の事柄の辞書データを記憶装置に記憶する辞書記憶手段と、
前記地図記憶手段により記憶された地図データの中から指定された時代の地図データを読み出して出力する地図出力手段と、
この地図出力手段により出力された地図データに対して位置が指定された場合、当該指定された位置と前記指定された地図の時代に関係する歴史の事柄を前記辞書データから読み出して出力する歴史情報出力手段、
として機能させるためのコンピュータ読み込み可能なプログラム。
【発明の詳細な説明】
【技術分野】
【０００１】
本発明は、歴史と地理の学習を支援するための学習支援装置およびその制御プログラムに関する。
【背景技術】
【０００２】
従来、歴史の学習を支援する装置として、例えば次のようなものがある。
【０００３】
歴史情報データベースに地球の緯度・経度からなる正確な地図情報を付加し、地域・時代を指定することにより歴史事象情報を年代順に総覧することのできる地図情報付き歴史事象情報の表示システムが考えられている（例えば、特許文献１参照。）。
【０００４】
過去の時期を指定する時期指定情報により指定された時期に対応した歴史情報を取得し、この歴史情報に関連する地域の地図情報の画像上に、前記取得した歴史情報の画像を表示することのできる歴史地図出力装置が考えられている（例えば、特許文献２参照。）。
【先行技術文献】
【特許文献】
【０００５】
【特許文献１】特開２００４−１９１７６１号公報
【特許文献２】特開２００８−１４５９３５号公報
【発明の概要】
【発明が解決しようとする課題】
【０００６】
歴史の事柄とその時代の地理とを関係付けて、より簡便に学習することが望まれる。
【０００７】
本発明は、このような課題に鑑みなされたもので、歴史の事柄とその時代の地理とを関係付けて、より簡便に学習することが可能になる学習支援装置およびその制御プログラムを提供することを目的とする。
【課題を解決するための手段】
【０００８】
本発明に係る学習支援装置は、複数の時代に応じた地図データを記憶する地図記憶手段と、歴史の事柄の辞書データを記憶する辞書記憶手段と、前記地図記憶手段により記憶された地図データの中から指定された時代の地図データを読み出して出力する地図出力手段と、この地図出力手段により出力された地図データに対して位置が指定された場合、当該指定された位置と前記指定された地図の時代に関係する歴史の事柄を前記辞書データから読み出して出力する歴史情報出力手段と、を備えたことを特徴としている。
【発明の効果】
【０００９】
本発明によれば、歴史の事柄とその時代の地理とを関係付けて、より簡便に学習することが可能になる。
【図面の簡単な説明】
【００１０】
【図１】本発明の実施形態に係る学習支援装置１０の電子回路の構成を示すブロック図。
【図２】前記学習支援装置１０をタブレット端末２０Ｔとサーバ装置３０Ｓにより実施した場合の外観構成を示す斜視図。
【図３】前記学習支援装置１０を電子辞書装置１０Ｄにより実施した場合の外観構成を示す正面図。
【図４】前記学習支援装置１０のデータ処理装置３０におけるコンテンツＤＢ３２ｂに記憶された歴史辞典ＤＢ３２ｂ１の内容を示す図。
【図５】前記学習支援装置１０のデータ処理装置３０における地図・地名ＤＢ３２ｃに記憶された地図ＤＢ（エリア別）３２ｃ１の内容を示す図。
【図６】前記学習支援装置１０のデータ処理装置３０における地図・地名ＤＢ３２ｃに記憶された地名ＤＢ３２ｃ２の内容を示す図。
【図７】前記学習支援装置１０のデータ処理装置３０により実行される歴史・地理学習処理を示すフローチャート。
【図８】前記学習支援装置１０の歴史・地理学習処理における辞書検索処理を示すフローチャート。
【図９】前記学習支援装置１０の歴史・地理学習処理に従った入出力装置２０での表示動作（その１）を示す図。
【図１０】前記学習支援装置１０の歴史・地理学習処理に従った入出力装置２０での表示動作（その２）を示す図。
【発明を実施するための形態】
【００１１】
以下図面により本発明の実施の形態について説明する。
【００１２】
図１は、本発明の実施形態に係る学習支援装置１０の電子回路の構成を示すブロック図である。
【００１３】
この学習支援装置１０は、入出力装置２０とコンピュータであるデータ処理装置３０とを備えて構成される。
【００１４】
前記入出力装置２０には、キー入力部２１、タッチパネル付表示部２２、当該キー入力部２１とタッチパネル付表示部２２とに対する入出力制御部２３、この入出力制御部２３を前記データ処理部３０と接続するためのインターフェイス（ＩＦ）部２０が備えられる。
【００１５】
前記データ処理装置３０には、制御装置（ＣＰＵ）３１、この制御装置３１の制御動作を司る各種のプログラムやデータベースを記憶した記憶装置３２、前記制御動作に伴う作業用データを記憶するＲＡＭ３３、前記制御装置（ＣＰＵ）３１を前記入出力装置２０と接続するためのインターフェイス（ＩＦ）部３４が備えられる。
【００１６】
図２は、前記学習支援装置１０をタブレット端末２０Ｔとサーバ装置３０Ｓにより実施した場合の外観構成を示す斜視図である。
【００１７】
この図２における学習支援装置１０の場合、前記タブレット端末２０Ｔが前記入出力装置２０として機能し、前記サーバ装置３０Ｓが前記データ処理装置３０として機能する。
【００１８】
図３は、前記学習支援装置１０を電子辞書装置１０Ｄにより実施した場合の外観構成を示す正面図である。
【００１９】
この図３における電子辞書装置１０Ｄの場合、前記入出力装置２０とデータ処理装置３０は何れも当該電子辞書装置１０Ｄに一体的に内蔵され、開閉される装置本体の下段側に前記キー入力部２１が設けられ、上段側に前記タッチパネル付表示部２２が設けられる。この電子辞書装置１０Ｄのキー入力部２１には、各種の辞書指定キー、文字入力キー、[Jump]キー、[決定]キー、[戻る]キーの他に、歴史の事柄とその時代の地理とを関係付けて学習する歴史・地理学習の動作モードに設定するための[歴史・地理学習]キー２１ａが備えられる。
【００２０】
前記データ処理装置３０の記憶装置３２には、前記制御装置３１により実行される制御プログラム３２ａ、コンテンツＤＢ３２ｂ、地図・地名ＤＢ３２ｃなどが、予め記憶されるか、あるいはＣＤ−ＲＯＭやメモリカードなどの外部記録媒体から読み込まれて記憶されるか、あるいはインターネットなどの通信ネットワーク上のプログラムサーバからダウンロードされて記憶される。
【００２１】
前記制御プログラム３２ａとしては、当該学習支援装置１０の全体の動作を司るシステムプログラム、前記通信ネットワーク上の外部機器や図示しないユーザＰＣ(Personal Computer)などとデータ通信するための通信プログラムなどが記憶される。また、前記制御プログラム３２ａとして、検索語入力処理、検索語に対応した見出し語検索処理、検索された見出し語に対応する説明情報の読み出し表示処理など、同記憶装置３２内のコンテンツＤＢ３２ｂに基づく検索・読み出し・表示処理全般を制御するための辞書検索プログラムが記憶される。さらに、前記制御プログラム３２ａとして、同記憶装置３２内のコンテンツＤＢ３２ｂや地図・地名ＤＢ３２ｃに基づいて、歴史の事柄とその時代の地理とを関係付けた学習を行うための学習支援プログラムが記憶される。
【００２２】
そして、前記制御プログラム３２ａは、前記入出力装置２０のキー入力部２１、タッチパネル付表示部２２からのユーザ操作に応じた入力信号、あるいは前記通信ネットワーク上の外部機器との通信信号に応じて起動される。
【００２３】
前記コンテンツＤＢ３２ｂには、例えば、国語辞典、英和辞典、和英辞典、英英辞典、歴史辞典等の各種の辞書のＤＢ（データベース）が記憶される。
【００２４】
図４は、前記学習支援装置１０のデータ処理装置３０におけるコンテンツＤＢ３２ｂに記憶された歴史辞典ＤＢ３２ｂ１の内容を示す図である。
【００２５】
この歴史辞典ＤＢ３２ｂ１には、アジア、欧州等の地域毎の時代に応じた歴史の情報が、見出し語のデータに対しその政治、文化、物産の事柄のデータを対応付けて記憶される。
【００２６】
図５は、前記学習支援装置１０のデータ処理装置３０における地図・地名ＤＢ３２ｃに記憶された地図ＤＢ（エリア別）３２ｃ１の内容を示す図である。
【００２７】
この地図ＤＢ（エリア別）３２ｃ１には、各時代（ＸＸ年〜ＹＹ年）に対応する地図データが、アジア、欧州等の地域毎に分けて記憶される。
【００２８】
図６は、前記学習支援装置１０のデータ処理装置３０における地図・地名ＤＢ３２ｃに記憶された地名ＤＢ３２ｃ２の内容を示す図である。
【００２９】
この地名ＤＢ３２ｃ２には、前記地図ＤＢ（エリア別）３２ｃ１に記憶された各地図データ上に存在する地名とその位置のＸＹ座標（緯度、経度）のデータが、当該地図データの地図ＩＤに対応付けて記憶される。
【００３０】
前記データ処理装置３０におけるＲＡＭ３３には、表示データ記憶領域３３ａ、指定位置データ記憶領域３３ｂが確保される。
【００３１】
前記表示データ記憶領域３３ａには、前記制御装置３１による前記制御プログラム３２ａの実行に従い生成される前記入出力装置２０のタッチパネル付表示部２２に表示させるべき表示データが記憶される。
【００３２】
前記指定位置データ記憶領域３３ｂには、前記制御プログラム３２ａの学習支援プログラムに従い実行される歴史・地理学習処理において、表示された地図データ上にてユーザ操作に応じて指定された位置データが記憶される。
【００３３】
このように構成された学習支援装置１０は、前記データ処理装置３０の制御装置（ＣＰＵ）３１が前記制御プログラム３２ａ（前記辞書検索プログラム、学習支援プログラムを含む）に記述された命令に従い回路各部の動作を制御し、ソフトウエアとハードウエアとが協働して動作することにより、後述の動作説明で述べる機能を実現する。
【００３４】
次に、前記構成の学習支援装置１０の動作について説明する。
【００３５】
図７は、前記学習支援装置１０のデータ処理装置３０により実行される歴史・地理学習処理を示すフローチャートである。
【００３６】
図８は、前記学習支援装置１０の歴史・地理学習処理における辞書検索処理を示すフローチャートである。
【００３７】
図９は、前記学習支援装置１０の歴史・地理学習処理に従った入出力装置２０での表示動作（その１）を示す図である。
【００３８】
図１０は、前記学習支援装置１０の歴史・地理学習処理に従った入出力装置２０での表示動作（その２）を示す図である。
【００３９】
前記入出力装置２０のユーザ操作に応じて、前記データ処理装置３０によりその制御プログラム３２ａ（学習支援プログラム）が起動されると、地図から学習する地図学習モードまたは辞書から学習する辞書学習モードの選択を促す動作モードの選択画面が前記入出力装置２０に送信されそのタッチパネル付表示部２２に表示される。
【００４０】
（地図学習モード）
前記入出力装置２０に表示された動作モードの選択画面に対するユーザ操作に応じて、当該入出力装置２０から前記データ処理装置３０に地図学習モードの選択信号が受信されたと判断されると（ステップＳ１（Ｙｅｓ））、学習対象としたい場所（地域）を指定するための地域指定画面が前記入出力装置２０に送信されて表示される。
【００４１】
前記入出力装置２０に表示された地域指定画面のユーザ操作に応じて、前記データ処理装置３０にて学習対象としたい地域が指定されたと判断されると（ステップＳ２）、前記地図・地名ＤＢ３２ｃの地図ＤＢ（エリア別）３２ｃ１から指定された地域の現代の地図データが読み出され、図９（Ａ）に示すように、前記入出力装置２０に送信されて表示される（ステップＳ３）。
【００４２】
この図９（Ａ）では、前記指定の地域として「東アジア地域」が指定されることで、現代の東アジア地域の地図データＭ１が前記入出力装置２０のタッチパネル付表示部２２に表示された状態を示している。
【００４３】
この際、前記タッチパネル付表示部２２において、前記地図データＭ１の下には、時代を指定するための時代指定スライダＳＬがそのつまみＴを「現代」の位置に合わせて表示され、また前記指定された時代のどのような事柄を知りたいかを指定するための項目ボタン「政治」Ｋ１，「文化」Ｋ２，「物産」Ｋ３が表示され、また、検索された歴史や地理の情報を表示させるための情報表示エリアＥが表示される。
【００４４】
そして、前記時代指定スライダＳＬのつまみＴのユーザ操作に応じて、図９（Ｂ）に示すように、例えば、７世紀の時代が指定されたことが、前記データ処理装置３０において判断されると（ステップＳ４（Ｙｅｓ））、当該指定された時代「７世紀」に対応する前記「東アジア地域」の地図データＭ２が前記地図ＤＢ（エリア別）３２ｃ１から読み出され、前記入出力装置２０に送信されて表示される（ステップＳ５）。
【００４５】
前記入出力装置２０のタッチパネル付表示部２２に表示された「７世紀」の「東アジア地域」の地図データＭ２において、ユーザ操作に応じて学習したい位置が指定されたことが、前記データ処理装置３０において判断されると（ステップＳ６（Ｙｅｓ））、図１０（Ａ）に示すように、前記地図データＭ２上の前記指定された位置に指定位置マーク「×地点１」が表示される（ステップＳ７）。
【００４６】
すると、前記地図データＭ２上の指定位置「×地点１」に対応したＸＹ座標（緯度・経度）とその地名が前記地図・地名ＤＢ３２ｃにおける地名ＤＢ３２ｃ２から取得され、前記情報表示エリアＥに「地点１：北緯37.17892，東経128.673019，高句麗国 イモクリ」として表示される（ステップＳ８）。なお、この位置指定は複数の場所を指定することも可能である。
【００４７】
そして、前記項目ボタン「政治」Ｋ１，「文化」Ｋ２，「物産」Ｋ３のうち、ユーザ操作に応じて、例えば、項目ボタン「政治」Ｋ１が指定されたと判断されると（ステップＳ９（Ｙｅｓ））、前記コンテンツＤＢ３２ｂにおける歴史辞典ＤＢ３２ｂ１から前記指定位置の地名「地点１：高句麗国 イモクリ」が含まれる該当する項目「政治」の事柄（歴史情報）「高句麗（ＢＣ３７年頃−６６８年）は…」が検索され（ステップＳ１０）、図１０（Ｂ）に示すように、その検索結果が前記情報表示エリアＥに表示される（ステップＳ１１）。
【００４８】
なお、前記地図データＭ２上において、ユーザ操作に応じて複数の位置が指定された場合は、各指定位置「地点１，地点２，…」に対応した座標とその地名が取得されて表示される。そして前記何れかの項目ボタンＫｎが指定された場合は、前記歴史辞典ＤＢ３２ｂ１から、当該指定の項目の事柄であって前記各指定位置の地名を含んでいる共通の事柄が検索されて表示される（ステップＳ６〜Ｓ１１）。
【００４９】
前記図１０（Ｂ）で示したように、前記歴史辞典ＤＢ３２ｂ１から検索されて前記情報表示エリアＥに表示された前記指定の項目「政治」の事柄（歴史情報）において、ユーザ操作に応じてそのテキスト内の地名「武蔵国高麗郡」ｈが選択されたと判断されると（ステップＳ１２（Ｙｅｓ））、前記地名ＤＢ３２ｃ２から当該選択された地名「武蔵国高麗郡」ｈに対応する位置のＸＹ座標（緯度・経度）が読み出され、前記地図データＭ２上の該当する位置に指定位置マーク「×地点２」が表示される（ステップＳ１３）。
【００５０】
そして、前記指定さている項目ボタン「政治」Ｋ１とは違う他の項目ボタンＫｎが指定されたと判断された場合は（ステップＳ１４（Ｙｅｓ））、前記歴史辞典ＤＢ３２ｂ１から、当該他の項目（Ｋｎ）の事柄であって前記指定位置の地名を含んでいる事柄が検索されて表示される（ステップＳ１０，Ｓ１１）。
【００５１】
（辞書学習モード）
前記データ処理装置３０での制御プログラム３２ａ（学習支援プログラム）の起動に伴い、前記入出力装置２０に表示された動作モードの選択画面に対するユーザ操作に応じて、辞書学習モードが選択されたと判断されると（ステップＳ１（Ｎｏ））、図８における辞書検索処理へ移行される（ステップＳＡ）。
【００５２】
この辞書検索処理が開始されると、前記入出力装置２０のタッチパネル付表示部２２に検索語の入力画面が表示され、ユーザ操作に応じて検索語が入力されると（ステップＡ１）、前記データ処理装置３０において、前記コンテンツＤＢ３２ｂの歴史辞典ＤＢ３２ｂ１から前記入力された検索語に対応した見出し語が検索される（ステップＡ２）。
【００５３】
そして、前記歴史辞典ＤＢ３２ｂ１から前記検索された見出し語に対応した説明情報（歴史情報）が読み出され、前記入出力装置２０に送信されそのタッチパネル付表示部２２に表示される（ステップＡ３）。
【００５４】
こうして、前記入出力装置２０のタッチパネル付表示部２２に表示された前記歴史辞典ＤＢ３２ｂ１からの説明情報（歴史情報）において、当該説明情報に含まれる地名がユーザによりタッチされて指定されたと判断されると（ステップＡ４（Ｙｅｓ））、同説明情報の「西暦」「ＢＣ」「年」や数字等のテキストからその時代が特定される（ステップＡ５）。
【００５５】
すると、前記歴史辞典ＤＢ３２ｂ１からの説明情報（歴史情報）において、前記指定された地名を含む地域であって、前記特定された時代の地図データＭｎが、前記地図ＤＢ（エリア別）３２ｃ１と前記地名ＤＢ３２ｃ２とに基づき特定されて読み出され（ステップＡ６）、前記入出力装置２０のタッチパネル付表示部２２に表示される（ステップＡ７）。
【００５６】
こうして、前記歴史辞典ＤＢ３２ｂ１から検索されたユーザ所望の見出し語の説明情報（歴史情報）に基づき特定された時代と地域の地図データＭｎが表示された状態で（ステップＡ１〜Ａ７）、この後の処理（ステップＡ８〜Ａ１６）については、前記地図学習モードでの動作説明にて記述したステップＳ６〜Ｓ１４の処理と同様になる。
【００５７】
すなわち、ユーザ操作に応じて、前記地図データＭｎ上の位置が指定されると（ステップＡ８（Ｙｅｓ））、前記図１０（Ａ）で示したように、当該指定された位置が表示され（ステップＡ９）、またその位置の地名が取得されて表示される（ステップＡ１０）。
【００５８】
また、前記項目ボタンＫｎが指定されると（ステップＡ１１（Ｙｅｓ））、前記図１０（Ｂ）で示したように、前記歴史辞典ＤＢ３２ｂ１から前記指定位置の地名が含まれる該当する項目（Ｋｎ）の事柄（歴史情報）が検索されて表示される（ステップＡ１２，Ａ１３）。
【００５９】
そして、前記表示された指定の項目（Ｋｎ）の事柄（歴史情報）において、そのテキスト内の地名ｈが選択されると（ステップＡ１４（Ｙｅｓ））、当該選択された地名ｈに対応した前記地図データＭｎ上の位置が表示される（ステップＡ１５）。
【００６０】
また、前記指定された項目ボタンＫｎとは違う他の項目ボタンＫｍが指定されると（ステップＡ１６（Ｙｅｓ））、前記歴史辞典ＤＢ３２ｂ１から、当該他の項目（Ｋｎ）の事柄であって前記指定位置の地名を含んでいる事柄が検索されて表示される（ステップＡ１２，Ａ１３）。
【００６１】
したがって、前記構成の学習支援装置１０による歴史・地理学習機能（地図学習モード）によれば、時代に応じた地域別の地図データを記憶した地図ＤＢ（エリア別）３２ｃ１と、前記地図データ上の各地の地名とその位置の座標（緯度・経度）とを対応付けて記憶した地名ＤＢ３２ｃ２と、地域毎の時代に応じた歴史の事柄をその見出し語に対応付けて記憶した歴史辞典ＤＢ３２ｂ１とを有し、学習対象とする時代の前記地図データを表示させ任意の位置を指定する。すると、前記指定された地図データ上の位置とその地名、当該地図データの時代に基づいて、同地名が含まれる歴史の事柄（歴史情報）が前記歴史辞典ＤＢ３２ｂ１から読み出されて表示される。
【００６２】
これにより、学習対象とする時代の地図からその地図上の各地を指定してその地であった歴史の事柄を簡便に学習することができる。
【００６３】
また、前記構成の学習支援装置１０による歴史・地理学習機能によれば、前記歴史辞典ＤＢ３２ｂ１から読み出されて表示された歴史の事柄（歴史情報）のテキストに含まれる地名が選択されると、前記地名ＤＢ３２ｃ２に基づき当該選択された地名に対応する前記表示されている地図データ上の位置の座標（緯度・経度）が読み出され、同地図データ上にその位置が表示される。
【００６４】
これにより、前記地図上で指定した位置の地名に応じて表示させた歴史の事柄（歴史情報）に基づいて、その事柄に含まれる地名の地図上での位置を簡便に表示させることができる。
【００６５】
また、前記構成の学習支援装置１０による歴史・地理学習機能（辞書学習モード）によれば、前記歴史辞典ＤＢ３２ｂ１からユーザ操作に応じて検索表示された歴史の事柄（歴史情報）に含まれる地名が選択されると、当該歴史情報から特定される時代であって前記選択された地名が含まれる地図データが前記地図ＤＢ（エリア別）３２ｃ１から読み出されて表示される。
【００６６】
これにより、歴史辞典から検索した所望の歴史の事柄（歴史情報）に含まれる地名から、その歴史の事柄の時代であってその地名のある地図を簡便に表示させることができる。
【００６７】
よって、歴史の事柄とその時代の地理とを関係付けて、より簡便に学習することができる。
【００６８】
なお、前記各実施形態において記載した学習支援装置１０による各処理の手法およびデータベース（ＤＢ）、すなわち、図７のフローチャートに示す歴史・地理学習処理、図８のフローチャートに示す前記歴史・地理学習処理における辞書検索処理等の各手法、およびコンテンツＤＢ３２ｂ、地図・地名ＤＢ３２ｃ等の各ＤＢは、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、電子機器のコンピュータ（制御装置）は、この外部記録装置の媒体に記憶されたプログラムを記憶装置に読み込み、この読み込んだプログラムによって動作が制御されることにより、前記各実施形態において説明した学習支援機能を実現し、前述した手法による同様の処理を実行することができる。
【００６９】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを電子機器に取り込んで記憶装置に記憶させ、前述した学習支援機能を実現することもできる。
【００７０】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７１】
以下に、本願出願の当初の特許請求の範囲に記載された発明を付記する。
【００７２】
［１］
複数の時代に応じた地図データを記憶する地図記憶手段と、
歴史の事柄の辞書データを記憶する辞書記憶手段と、
前記地図記憶手段により記憶された地図データの中から指定された時代の地図データを読み出して出力する地図出力手段と、
この地図出力手段により出力された地図データに対して位置が指定された場合、当該指定された位置と前記指定された地図の時代に関係する歴史の事柄を前記辞書データから読み出して出力する歴史情報出力手段と、
を備えたことを特徴とする学習支援装置。
【００７３】
［２］
前記地図データ上の地名と位置のデータを対応付けて記憶する地名記憶手段を備え、
前記歴史情報出力手段は、前記地図出力手段により出力された地図データ上で指定された位置に基づいて、前記指定された時代であって前記指定された位置に対応して前記地名記憶手段から読み出される地名を含む歴史の事柄を前記辞書データから読み出して出力する、
ことを特徴とする［１］に記載の学習支援装置。
【００７４】
［３］
前記歴史情報出力手段により出力された歴史の事柄に含まれる地名が選択された場合に、当該選択された地名に対応して前記地名記憶手段から読み出される前記地図データ上の位置を、前記地図出力手段により出力された地図データ上に出力する地名位置出力手段を備えた、
ことを特徴とする［２］に記載の学習支援装置。
【００７５】
［４］
前記辞書記憶手段により記憶された辞書データから歴史の事柄を検索して出力する辞書検索手段と、
この辞書検索手段により出力された歴史の事柄に関係する地図データを前記地図記憶手段により記憶された地図データの中から読み出して出力する関係地図出力手段と、
を備えたことを特徴とする［３］に記載の学習支援装置。
【００７６】
［５］
前記関係地図出力手段は、前記辞書検索手段により出力された歴史の事柄に含まれる地名が選択された場合に、当該歴史の事柄の時代であって前記選択された地名が含まれる地図データを前記地図記憶手段により記憶された地図データの中から読み出して出力する、
ことを特徴とする［４］に記載の学習支援装置。
【００７７】
［６］
電子機器のコンピュータを制御するためのプログラムであって、
前記コンピュータを、
複数の時代に応じた地図データを記憶装置に記憶する地図記憶手段と、
歴史の事柄の辞書データを記憶装置に記憶する辞書記憶手段と、
前記地図記憶手段により記憶された地図データの中から指定された時代の地図データを読み出して出力する地図出力手段と、
この地図出力手段により出力された地図データに対して位置が指定された場合、当該指定された位置と前記指定された地図の時代に関係する歴史の事柄を前記辞書データから読み出して出力する歴史情報出力手段、
として機能させるためのコンピュータ読み込み可能なプログラム。
【符号の説明】
【００７８】
１０  …学習支援装置
１０Ｄ…電子辞書装置
２０  …入出力装置
２０Ｔ…タブレット端末
２１  …キー入力部
２１ａ…［歴史・地理学習］キー
２２  …タッチパネル付表示部
２３  …入出力制御部
２４、３４…インターフェイス部
３０  …データ処理装置
３０Ｓ…サーバ装置
３１  …制御装置（ＣＰＵ）
３２  …記憶装置
３２ａ…制御プログラム
３２ｂ…コンテンツＤＢ
３２ｂ１…歴史辞典ＤＢ
３２ｃ…地図・地名ＤＢ
３２ｃ１…地図ＤＢ（エリア別）
３２ｃ２…地名ＤＢ
３３  …ＲＡＭ
３３ａ…表示データ記憶領域
３３ｂ…指定位置データ記憶領域
Ｍ１，Ｍ２…地図データ
ＳＬ  …時代指定スライダＳＬ
【図１】
2015230413.tif 000003
【図２】
2015230413.tif 000004
【図３】
2015230413.tif 000005
【図４】
2015230413.tif 000006
【図５】
2015230413.tif 000007
【図６】
2015230413.tif 000008
【図７】
2015230413.tif 000009
【図８】
2015230413.tif 000010
【図１０】
2015230413.tif 000011
【図９】
2015230413.tif 000012